(57)【要約】      （修正有）【課題】寸法精度が高く、生産の経済性と効率性が低く、コストが低い掃除機の吸い込みノズルの回転ロータを提供することである。【解決手段】金属ワイヤ１と、該金属ワイヤの周りに設けられた合成樹脂層２とからなり、該合成樹脂層に複数の溝が所定のピッチで螺旋状に設けられてなることを特徴としている。【選択図】図１
0003116484.tif 000002
【実用新案登録請求の範囲】
【請求項１】
金属ワイヤと、該金属ワイヤの周りに設けられた合成樹脂層とからなり、
該合成樹脂層に複数の溝が所定のピッチで螺旋状に設けられてなる
ことを特徴とする掃除機の吸い込みノズルの回転ロータ用の長尺線状体。
【請求項２】
前記所定のピッチが０．５〜１．５である請求項１記載の長尺線状体。
【請求項３】
前記金属ワイヤの断面形状が多角形である請求項１または２記載の長尺線状体。
【請求項４】
前記金属ワイヤの断面形状がほぼ円形である請求項１または２記載の長尺線状体。
【請求項５】
前記金属ワイヤの断面形状がほぼ楕円形である請求項１または２記載の長尺線状体。
【請求項６】
前記金属ワイヤの断面形状が多角形と円形との組み合わせである請求項１または２記載の長尺線状体。
【考案の詳細な説明】
【技術分野】
【０００１】
本考案は掃除機の吸い込みノズルの回転ロータ用の長尺線状体に関する。
【背景技術】
【０００２】
外周に開口し、長手方向に一条ないし複数条のブレード取付用の真っ直ぐな溝を設けている金属製の直条体のロータの製法が特許文献１に開示されている。
【０００３】
特許文献１に開示されたロータは捩られて、ロータの外周に設けられている溝は所要の捩れをもった螺旋状になるようにされている。
【０００４】
特許文献１に開示されたロータにブレードおよび回転に必要な部品を取付けて回転ロータにされている。これの両側端に別に製作した軸受を取付けて、ノズルに収納してベルトを介して駆動装置によって駆動回転できるようにされている。
【０００５】
特許文献２による掃除機用床ノズルの回転ロータは、金属製のロータの外周面に、ブレードを、螺旋状に取付けた構成を備え、ロータの外周面に、その軸心と平行状に設けた溝に、ブレードを嵌め込ませた後、ロータをその軸心周りに捩ることによって、開口幅の狭まった溝の両口縁部が、ブレードを強く挟み付ける様にしている。
【０００６】
また、特許文献３による掃除機用吸込ノズルの回転ロータは、金属製のロータの外周面に、ブレードを、螺旋状に取付けた構成を備え、当該ロータは、ブレード取付用の溝を、その長手方向に真っ直ぐに設けた状態で押出成形した後、その軸心周りに捩り加工を施すことによって、溝が螺旋状に曲げられている。
【０００７】
またさらに、特許文献４による掃除機用吸込ノズルの回転ロータは、押出し成形装置から押し出された回転ロータ素材を、保持板に回転可能に設けられた円板に穿設された貫通孔に通して押出し成形を行うと同時に当該円板を回転させることによって所定のひねり角度の螺旋状となるようにひねり加工を施すことによって、溝が螺旋状に曲げられている。
【０００８】
【特許文献１】特開平７−１７８０１６号公報
【特許文献２】特許第３１２７１８０号公報
【特許文献３】特許第３１２７１８２号公報
【特許文献４】特開２００３−１３５３２７号公報
【考案の開示】
【考案が解決しようとする課題】
【０００９】
特許文献１、２、３および４に開示された電気掃除機の吸い込み口に使用されているアルミニウム製の回転ロータは、アルミニウムを押出機によって所望の形状をもつパイプとして押し出し、ついで、押し出されたアルミニウム製のパイプを所定の寸法に手作業で切断し、所定寸法に切断されたアルミニウム製のパイプを捩り加工することによって得られるものである。したがって、人手に頼る工程が多いため、アルミニウム製のパイプの寸法精度が正確でない、振動など品質の安定性がなかなか把握できないから、生産の経済性と効率性が低く、コストが高いという問題がある。
【００１０】
本考案の目的は、叙上の従来の問題点を解消し、寸法精度が高く、生産の経済性と効率性が低く、コストが低い掃除機の吸い込みノズルの回転ロータを提供することである。
【課題を解決するための手段】
【００１１】
本考案の回転ロータ用の長尺線状体は、金属ワイヤと、該金属ワイヤの周りに設けられた合成樹脂層とからなり、
該合成樹脂層に複数の溝が所定のピッチで螺旋状に設けられてなる
ことを特徴としている。
【００１２】
また、前記所定のピッチが０．５〜１．５であることが好ましい。
【００１３】
また、前記金属ワイヤの断面形状は多角形であってもよい。
【００１４】
また、前記金属ワイヤの断面形状はほぼ円形であってもよい。
【００１５】
また、前記金属ワイヤの断面形状はほぼ楕円形であってもよい。
【００１６】
また、前記金属ワイヤの断面形状は多角形と円形との組み合わせであってもよい。
【００１７】
また、前記長尺線状体が掃除機の吸い込みノズルの回転ロータであることが好ましい。
【考案の効果】
【００１８】
本考案によれば、寸法精度が高く、生産の経済性と効率性が低く、コストが低い掃除機の吸い込みノズルの回転ロータ（以下、回転ロータという）用の長尺線状体を提供することができる。
【考案を実施するための最良の形態】
【００１９】
添付図面を参照しながら、図１の（ａ）は本考案の長尺線状体の一例を示す平面説明図であり（ｂ）は断面説明図、図２は本考案の回転ロータの製法の一工程に用いられる捩り加工装置を示す斜視図、図３は図２の捩り加工装置のシャフトを示す説明図、図４は図２の加工装置によって捩り加工された長尺線状体を移送するためのコンベヤを示す説明図、図５は本考案の回転ロータの製造装置を示す概略説明図である。
【００２０】
図１金属ワイヤ１と、金属ワイヤの周りに設けられた合成樹脂層２とからなり、合成樹脂層２に複数の溝２ａが長尺線状体１０の単位長さＬに対して０．５〜１．５のピッチ（すなわち、で螺旋状に設けられている。
【００２１】
金属ワイヤ１の断面形状は、たとえば三角形、四角形、五角形、六角形などの多角形のほか、ほぼ円形、ほぼ楕円形や、多角形と円形との組み合わせた形状が採用できる。
【００２２】
また、図１を参照すると、長尺線状体１０の単位長さＬは１７０ｍｍ〜２１５ｍｍであり、外径は１０ｍｍ〜３５ｍｍである。
【００２３】
つぎに、図２〜５を参照しながら、長尺線状体１０の製造工程について説明する。
【００２４】
工程Ｉ：まず、コイル状に巻かれた、直径が約１〜１０ｍｍの金属製ワイヤ１を、直線状に延びるように矯正する。金属製のワイヤ１の素材としては、たとえばステンレス、鉄、アルミニウム、アルミニウム合金などを採用することができる。
【００２５】
工程II：前記工程Ｉにおいて、ワイヤー直線矯正装置Ｆ（図５参照）により直線状に矯正された金属製ワイヤ１を合成樹脂の押出成形装置（金型）Ｅ（図５参照）の軸心に引き入れる。なお、押出成形装置（金型）Ｅの温度は約８０〜２００℃に設定する。
【００２６】
工程III：押出成形装置Ｅに、ポリエチレン、ポリプロピレン、ＡＢＳ樹脂、ポリアミド、ポリアセタールなどの合成樹脂材料をホッパーＤ（図５参照）から投入する。この工程で、合成樹脂層２によって金属製ワイヤ１の外周が被覆されると共に、当該金属製ワイヤ１の軸心に平行に１または複数（たとえば４〜８）の溝２ａが形成された長尺線状体１０の基体３が成形される。
【００２７】
工程IV：複数（４〜８）の溝２ａが形成された長尺線状体１０の基体３が押出成形装置（金型）Ｅから連続的に押し出される。
【００２８】
工程Ｖ：長尺線状体１０の基体３が、捩り加工装置４に供給される（図２参照）。捩り加工装置４は、電動モータＭと、変速装置(図示されていない）と、３つの円柱状のシャフト５とから構成されている。
【００２９】
長尺線状体１０の基体３が、捩り加工装置４に供給されると（図３（ａ）および（ｂ）参照）、長尺線状体１０の基体３が３つのシャフト５の外周面と内接した状態で３つのシャフト５が時計方向（矢印Ｃの方向）に回転する。このとき、減速装置によって、電動モータＭの回転速度を調整し、シャフト５の回転速度が所望の回転速度（たとえば、４０ｒｐｍ〜３８０ｒｐｍ）になるようにする。そうすると、図３（ａ）に示される示されるように、所望の捩れ角θ（たとえば、４５度、１８０度、２７０度、３６０度）の螺旋状の溝２ｂが形成された長尺線状体３ａが連続的に形成される。
【００３０】
工程VI：図３（ａ）および（ｂ）と図５を参照すると、前工程Ｖで得られた長尺線状体３ａは、ついで、図３（ａ）および（ｂ）と図５を参照すると、４つのベルトｂ１、ｂ２、ｂ３およびｂ４が駆動するベルトコンベヤ６によって挟まれつつ前方に移送される。４つのベルトｂ１、ｂ２、ｂ３およびｂ４は、たとえば、天然または合成のゴムから製造されたものを採用する。
【００３１】
工程VII：所望のピッチ（ないしは、捩れ角θ）の螺旋状の溝２ｂが形成された長尺線状体３ａを截断機Ａ（図５参照）により所望の長さに切断する。
【図面の簡単な説明】
【００３２】
【図１】（ａ）は本考案の長尺線状体の一例を示す平面説明図であり（ｂ）は断面説明図である。
【図２】本考案の回転ロータの製法の一工程に用いられる捩り加工装置を示す斜視図である。
【図３】図２の捩り加工装置のシャフトを示す説明図である。
【図４】図２の加工装置によって捩り加工された長尺線状対を移送するためのコンベヤを示す説明図である。
【図５】本考案の回転ロータの製法に使用される装置を示す説明図である。
【符号の説明】
【００３３】
１    金属製ワイヤ
２    合成樹脂層
２ａ  溝
２ｂ  溝
３    長尺線状体の基体
３ａ  長尺線状体
４    捩り加工装置
５    シャフト
６    コンベヤ
１０    長尺線状体
Ａ    截断機
Ｄ    ホッパー
Ｅ    押出し成形機
Ｆ    ワイヤ直線矯正装置
Ｍ    電動モータ
【図１】
0003116484.tif 000003
【図２】
0003116484.tif 000004
【図３】
0003116484.tif 000005
【図４】
0003116484.tif 000006
【図５】
0003116484.tif 000007